(57)【要約】      （修正有）【課題】波力発電装置には、発電装置を海上に設置し発電機を施して発電した電力を陸上などに送電したものであり送電損失があった課題や、風波による気体コンプレッサー装置で地上のタンクやフロー体に気体タンクを施して発電や気体コンプレッサーとして利用したものを提供する。【解決手段】海上にフロート体５を金属及びコンクリート杭４又はアンカー２３で固定設置し、そのフロート体の下に別の小さなフロート体１２を施し、小さなフロート体が波のエネルギーで上下するときに海上フロート体と小さなフロート体に施したピストン７を上下させ気体を圧縮し、海上フロート体に施した気体タンク９に圧縮気体を送り貯蔵し、気体タンクが高圧になると陸上又は船舶に設置した気体タンクへ送り、その圧縮気体で発電機に施した回転羽を回転させ発電する事や圧縮気体をそのまま気体コンプレッサーとして使用する形態の、波力発電装置及び波力コンプレッサー装置。【選択図】図１
2015187437.tif 000002
【特許請求の範囲】
【請求項１】
海上にフロー体を金属及びコンクリート杭又はアンカーで固定設置し、そのフロート体の下に別の小さなフロート体を施し、小さなフロート体が波のエネルギーで上下するときに海上フロート体と小さなフロート体に施したシリンダー内のピストンや鞴を上下させ気体を圧縮し海上フロート体に施した気体タンクに中空管を通して圧縮気体を送り貯蔵し、海上フロート体のタンクが高気圧になると弁を開いて海底又海上に施した中空管で圧縮気体を陸上又は船舶に置いた気体タンクへ送り圧縮気体を貯蔵し、その圧縮気体を発電機に施した回転羽に噴射して回転させ発電することができる形態を特徴とした、波力発電装置及び波力コンプレッサー装置。
【請求項２】
また、波力発電装置及び波力コンプレッサー装置は海上で発電することは無く圧縮気体を海底又は海上の中空管を通して電力供給の場所まで送ることで送電ロスが無く、陸上又は船舶に設置した気体タンクに圧縮気体を貯蔵して、電力不足のときに陸上又は船舶のタンクに貯蔵した圧縮気体を工場で使う機械清掃などの洗浄コンプレサーとしての使用することができる形態を特徴とした、請求項１記載の波力発電装置及び波力コンプレッサー装置。
【請求項３】
さらに、海水の酸素不足を海上フロート体のタンクの貯蔵した圧縮気体を海中送り気泡で魚介類や養殖などの酸欠を防止に使用することができる形態を特徴とした、請求項１又は２記載の波力発電装置及び波力コンプレッサー装置。
【請求項４】
さらにまた、海上フロート体の上部に設けた風力発電装置で発電した電気を風力発電装置に設けた照明で夜間などの船舶航行の事故を防止するために安全灯とした形態を特徴とした、請求項１・２又は３記載の波力発電装置及び波力コンプレッサー装置。
【発明の詳細な説明】
【技術分野】
【０００１】  波力発電及び波力コンプレッサー装置に関するものである。
【背景技術】
【０００２】  従来の波力発電装置には、発電装置を海上に置き発電機を施して発電した電力を送電したもので送電損失があった。【０００３】
【特許文献１】特開２０１３−２０９９７８
【特許文献２】特開２０１３−１８１４３３
【特許文献３】特開２０１３−１８１４２９
【発明の開示】
【発明が解決しようとする課題】
【０００４】  波力発電装置には、発電装置を海上に設置し発電機を施して発電した電力を陸上などに送電したものであり送電損失があった課題や、風波による気体コンプレッサー装置で地上のタンクやフロー体に気体タンクを施して発電や気体コンプレッサーとして利用したものを提供する。
【課題を解決するための手段】
【０００５】  海上にフロー体を金属及びコンクリート杭又はアンカーで固定設置し、そのフロート体の下に別の小さなフロート体を施し、小さなフロート体が波のエネルギーで上下するときに海上フロート体と小さなフロート体に施したシリンダー内のピストンや鞴を上下させ気体を圧縮し海上フロート体に施した気体タンクに中空管を通して圧縮気体を送り貯蔵し、海上フロート体のタンクが高気圧になると弁を開いて海底又海上に施した中空管で圧縮気体を陸上又は船舶に置いた気体タンクへ送り圧縮気体を貯蔵し、その圧縮気体を発電機に施した回転羽に噴射して回転させ発電する事や圧縮気体をそのまま気体コンプレッサーとして使用することができる形態の、波力発電装置及び波力コンプレッサー装置。
【発明の効果】
【０００６】  従来の波力発電装置の発電した電気を貯めるのに蓄電機を施していますが、波力発電装置及び波力コンプレッサー装置で圧縮気体をタンクに貯蔵することで蓄電の効果がある。【０００７】  また、波力発電装置及び波力コンプレッサー装置自体は海上で発電することは無く圧縮気体を海底又は海上の中空管を通して電力供給の場所まで送ることで送電ロスが無く、陸上又は船舶に設置した気体タンクに圧縮気体を貯蔵して、電力不足のときに陸上又は船舶のタンクに貯蔵した圧縮気体を中空管で発電機に送り発電機の羽に噴射して羽の回転で発電できることや工場で使う機械清掃などの洗浄コンプレサーとしての使用することができる、波力発電装置及び波力コンプレッサー装置。【０００８】  さらに、海水の酸素不足を海上フロート体のタンクの貯蔵した圧縮気体（空気）を海中送り気泡で魚介類や養殖などの酸欠を防止に使用することができる、波力発電装置及び波力コンプレッサー装置。【０００９】    さらにまた、海上フロート体の上部に設けた風力発電装置で発電した電気を風力発電装置に設けた照明で夜間などの船舶航行の事故を防止するために安全灯とした形態の、波力発電装置及び波力コンプレッサー装置。
【発明を実施するための最良の形態】
【００１０】  以下、波力発電装置及び波力コンプレッサー装置の図１〜図３に基づいて説明をする。【００１１】  波力発電装置及び波力コンプレッサー装置の側面図で、海底１５に金属及びコンクリート杭４又はアンカー２３で固定設置し、その固定杭４に海上フロート体５を係留するために係留輪３を設けて潮の干満に上下対応させて、海上フロート体５の下に小さなフロート体１２が波１１で上下すると、海上フロート体５の中空に設けたピストンシリンダー６に小さなフロート体１２に施したピストン７でピストンシリンダー６内の気体を圧縮し中空管８を通して海上フロート体５の中空に設け気体タンク１及び海上フロート体５の海中に設けた気体タンク２・９・１３に圧縮気体を貯蔵して、圧縮気体が高気圧になると気体タンク１・２・９・１３から弁を施した中空管１６から矢印点線で示した高圧気体２１が海底１５及び海上に設置した中空管１６から陸上及び船舶に設置した圧縮気体タンク１８に貯蔵して、電気不足のときに圧縮気体タンク１８に貯蔵した圧縮気体を圧縮気体タンク１８に施した弁２２を開放し発電機１９に中空管１７を通して発電機１９に施した回転羽２０に圧縮気体を噴きつけ発電機１９を回転し発電をする、波力発電装置及び波力コンプレッサー装置【００１２】  また、圧縮気体２１をコップレサーと使用できる機械の清掃や海中の酸素不足に圧縮気体２１を海中に送り気泡で魚介類や養殖などの酸欠を防止に使用することができる、波力発電装置及び波力コンプレッサー装置。【００１３】  さらに、海上フロート体５の上部に設けた風力発電装置で発電した電気を風力発電装置に設けた照明で夜間などの船舶航行の事故を防止するために安全灯とした、波力発電装置及び波力コンプレッサー装置。【００１４】  さらにまた、図１で示すピストン７の変わりに図３で示す鞴２５を施し、波１１の上下運動エネルギーで小さなフロート体１２が鞴２５を伸び縮み２６で圧縮気体２１をつくり出す事もできる、波力発電装置及び波力コンプレッサー装置。
【図面の簡単な説明】
【００１５】
【図１】海上に設置した波力発電装置及び波力コンプレッサー装置側面図。
【図２】陸上又は船舶に設置した圧縮タンク及び発電機図。
【図３】鞴を波の上下運動で伸び縮み動作する側面図。
【符号の説明】
【００１６】  １      海上フロート体に施した圧縮気体タンク。
２      海上フロート体に施した圧縮気体タンク。
３      海上フロート体に施した係留輪。
４      海底に金属柱又はセメント柱の固定杭。
５      海上フロート体
６      ピストンシリンダー。
７      ピストンヘッド。
８      海上フロート体に施した気体通す中空管。
９      海上フロート体に施した圧縮気体タンク。
１０      ピストン軸。
１１      海面の波。
１２      海上フロート体の下に施した小さなフロート体。
１３      海上フロート体に施した圧縮気体タンク。
１４      海上フロート体に施した圧縮気体タンクのカバー。
１４−ａ  海上フロート体の側面壁。
１５      海底。
１６      海上フロート体に施した圧縮気体タンクから外部へ送る中空管。
１７      陸上又は船舶に設置した圧縮気体タンクから発電機に送る中配管。
１８      陸上又は船舶に設置した圧縮気体タンク。
１９      発電機。
２０      発電機に施した回転羽。
２１      圧縮気体の流れを表す矢印。
２２      陸上又は船舶に設置した圧縮気体タンクに施した弁。
２３      係留アンカー。
２４      係留アンカーロープ。
２５      鞴（ふいご）。
２６      鞴が伸び縮み動作の矢印。
【図１】
2015187437.tif 000003
【図２】
2015187437.tif 000004
【図３】
2015187437.tif 000005